(57)【要約】【課題】二つに折り畳んだベッドの上に、マットレス本体を折り畳んだ状態で載置することができ、さらにはマットレス不使用の際には、見栄え良く三つに折り重ねることが可能となり、少ないスペースで効率よく収納することができる折り畳みベッド用マットレスを提供すること。【解決手段】中央部より二つに折り畳むことが可能な折り畳み式ベッドに敷設するマットレスにおいて、前記マットレス本体２に、二つに折り畳んだ状態のベッドの厚みに適合する一対の第一切れ込み部５、６を設けると共に、該第一切れ込み部５、６の端部側外方に、前記マットレス本体２を三つ折りに重ねて畳むことができる第二切れ込み部７を設けたベッド用マットレスである。また、前記第二切れ込み部７は、底面切れ込み部８と上面切れ込み部９とで形成されている【選択図】図１
0003131486.tif 000002
【実用新案登録請求の範囲】
【請求項１】
中央部より二つに折り畳むことが可能な折り畳み式ベッドに敷設するマットレスにおいて、前記マットレス本体に、二つに折り畳んだ状態のベッドの厚みに適合する一対の第一切れ込み部を設けると共に、該第一切れ込み部の端部側外方に、前記マットレス本体を三つ折りに重ねて畳むことができる第二切れ込み部を設けたことを特徴とする折り畳みベッド用マットレス。
【請求項２】
前記第二切れ込み部が、底面切れ込み部と上面切れ込み部とで形成されている請求項１記載の折り畳みベッド用マットレス。
【考案の詳細な説明】
【技術分野】
【０００１】
本考案は、二つ折りに折り畳むことが可能な折り畳み式のベッドに敷設して使用する折り畳みベッド用マットレスに関し、特には、収納時における利便性の向上を図った折り畳みベッド用マットレスに関する。
【背景技術】
【０００２】
従来、一体型の家具調ベッドの他、不使用時には中央部より二つに折り畳むことが可能でコンパクトに収納できる、移動可能な折り畳み式のベッドが広く知られている。このような折り畳み式ベッドに使用するマットレスとして、通気性およびクッション性の良好なウレタン等の緩衝材を中材とするマットレスや、スプリングを介在させた構造により更にクッション性の向上を図ったマットレスが市販されている。
【０００３】
また、特許文献１では、ベッドを二つ折りに折り畳んだ際でも、折り畳んだ状態のベッド上面に載置可能で、かつマットレス本体を所望のサイズにコンパクトに折り畳むことができ、収納や持ち運び等に優れた効果を発揮する折り畳みベッド用マットレスが提案されている。この特許文献１の折り畳みベッド用マットレスは、本出願人によるもので、中央部より二つに折り畳むことが可能な折り畳み式ベッドに敷設するマットレスにおいて、前記マットレス本体に、二つに折り畳んだ状態のベッドの厚みに適合する一対の切れ込み部を有するものである。
【特許文献１】実用新案登録第３１２４４６８号公報
【考案の開示】
【考案が解決しようとする課題】
【０００４】
上掲特許文献１の折り畳みベッド用マットレスは、二つに折り畳んだ状態のベッドの厚みに適合する一対の切れ込み部を有することにより、収納や移動する際にベッドを折り畳んでも、折り畳んだ状態のベッド上にそのままマットレスを載置することができるという長所を有する。
【０００５】
しかし、上述の構造では、ベッド本体を収納する際に本体を三つ折りに重ねた場合、下部に配設される面と上部に配設される面との長さが異なり、折り畳み時のバランスが悪くなり外観面における見劣りが生じた。また、押入れ等に収納する際も余分な収納スペースが必要になった。
【０００６】
そこで、本考案の目的は、二つに折り畳んだベッドの上に、マットレス本体を折り畳んだ状態で載置することができ、さらにはマットレス不使用の際には、見栄え良く三つに折り重ねることが可能となり、少ないスペースで効率よく収納することができる折り畳みベッド用マットレスを提供することにある。
【課題を解決するための手段】
【０００７】
本考案者は、上記課題を解決すべく鋭意検討した結果、マットレス本体に複数の切れ込み部を所定の条件下で設けることにより上記目的を達成し得ることを見出し、本考案を完成するに至った。
【０００８】
即ち、本考案の折り畳みベッド用マットレスは、中央部より二つに折り畳むことが可能な折り畳み式ベッドに敷設するマットレスにおいて、前記マットレス本体に、二つに折り畳んだ状態のベッドの厚みに適合する一対の第一切れ込み部を設けると共に、該第一切れ込み部の端部側外方に、前記マットレス本体を三つ折りに重ねて畳むことができる第二切れ込み部を設けたことを特徴とするものである。また、前記第二切れ込み部は、底面切れ込み部と上面切れ込み部とで形成されている折り畳みベッド用マットレスである。
【考案の効果】
【０００９】
本考案の折り畳みベッド用マットレスによれば、収納や移動する際にベッドを折り畳んでも、折り畳んだ状態のベッド上にそのままマットレスを載置することができる。また、マットレス不使用の際には、見栄え良く三つに折り重ねることが可能となり、少ないスペースでも効率よく収納することができる。
【考案を実施するための最良の形態】
【００１０】
以下、本考案における折り畳みベッド用マットレスの実施の形態を図面に基づいて説明する。図示する折り畳みベッド用マットレス１は、折り畳み式ベッドの上面に敷設するものである。
【００１１】
折り畳みベッド用マットレス１のマットレス本体２は、一般的なシングルサイズのベッドに適合するサイズであり、例えば、一般的マットレスのサイズである幅９１ｃｍ、長さ１９５ｃｍ、厚さ約５ｃｍの矩形状とすることができる。以下、このサイズを基準として説明するが、マットレス本体２は、ジュニアサイズ、ダブルサイズ、キングサイズ等、多様なサイズのマットレスであってもよく、上記サイズに限定されるものではない。
【００１２】
マットレス本体２は、中材３をカバー材４で被覆してなり、中材３には、緩衝性を有する発泡ウレタンを好適に用いることができる。
【００１３】
マットレス本体２は、図３に示す二つ折りに折曲したベッド２０の厚みＤに適合する一対の第一切れ込み部５、６を有する。第一切れ込み部５、６は、収容されている中材３の相互の接触面において第一切れ込み部５、６を介してカバー材４により被覆され、かつ、マットレス本体２底面においては第一切れ込み部５、６の延長部分がカバー材４により連続されている。
【００１４】
また、第一切れ込み部５、６間のマット部ａは、二つに折り畳んだ状態のベッド２０の厚みＤと略同一の幅２５ｃｍの幅を形成するように設けられている。このため、図３に示すように、ベッド２０を二つに折り畳んだ状態で収納または移動する際、ベッド２０の縦方向の形状に沿ってマットレス本体２を載置することができる。
【００１５】
また、図１に示すように、第一切れ込み部５、６の端部側外方には、マットレス本体２を三つ折りに重ねて畳むことができる第二切れ込み部７が設けられている。
【００１６】
第二切れ込み部７は、底面切れ込み部８と上面切れ込み部９とで形成されている。底面切れ込み部８は、マットレス本体２の底面から切れ込みが施されており、上面においてはカバー材４により連続されている。また、上面切れ込み部９は、マットレス本体２の上面から切れ込みが施されており、底面においてはカバー材４により連続されている。
【００１７】
また、第一切れ込み部５と底面切れ込み部８間のマット部ｂは、２０ｃｍの幅を、第一切れ込み部６と上面切れ込み部９間のマット部ｃは、２０ｃｍの幅を夫々形成するように設けられている。
【００１８】
さらに、底面切れ込み部８とマットレス本体２の端部１０間のマット部ｄは、６５ｃｍの幅を、上面切れ込み部９と端部１１間のマット部ｅは、６５ｃｍの幅を夫々形成するように設けられている。
【００１９】
夫々の切れ込み部間のマット部を上記の幅に形成することで、図４に示すように、マットレス本体２を同じ幅で三つ折に重ねて畳むことができる。これにより、図４の（ｄ）に示すように、三つに折り重ねた状態で幅が統一されて見栄えが向上し、さらにマットレス不使用の際には、少ないスペースで効率よく押入れ等に収納することができる。
【００２０】
次に、本考案における折り畳みベッド用マットレスの折り畳み方法を図４の（ａ）（ｂ）（ｃ）（ｄ）にて説明する。
【００２１】
先ず、マットレス本体２を平面状に展開した状態（ａ）で、マットレス本体２のマット部ｄを底面切れ込み部８から折曲し、マット部ａ、ｂ、ｃの上面に載置する（ｂ）。次に、マットレス本体２のマット部ｅを上面切れ込み部９から折曲し、マット部ａ、ｂ、ｃの下面に配設する（ｃ）。この方法により、（ｄ）に示すように、マットレス本体２は同一の幅で規則正しく三つ折に重ねることができる。
【図面の簡単な説明】
【００２２】
【図１】（ａ）は本考案の折り畳みベッド用マットレスの表面、（ｂ）は前記折り畳みベッド用マットレスの裏面を表す全体斜視図である。
【図２】前記折り畳みベッド用マットレスの側面図である。
【図３】折曲したベッドにマットレス本体を載置した状態を示す側面図である。
【図４】マットレス本体を折り畳む状態の側面図である。
【符号の説明】
【００２３】
１    折り畳みベッド用マットレス
２    マットレス本体
３    中材
４    カバー材
５    第一切れ込み部
６    第一切れ込み部
７    第二切れ込み部
８    底面切り込み部
９    上面切り込み部
１０  端部
１１  端部
２０  ベッド
Ｄ    厚み
ａ    マット部
ｂ    マット部
ｃ    マット部
ｄ    マット部
ｅ    マット部
【図１】
0003131486.tif 000003
【図２】
0003131486.tif 000004
【図３】
0003131486.tif 000005
【図４】
0003131486.tif 000006